(57)【要約】【課題】各種電子機器に用いられるスイッチに関し、接点のＯＮ／ＯＦＦタイミングのバラツキが少なく、確実な動作の可能なものを提供することを目的とする。【解決手段】可動接点１４の接触部１４Ａを略円弧状に形成すると共に、可動接点１４が弾接摺動するケース１１内底面を、固定接点２よりも高い摺動面１５とすることによって、固定接点２の端部上面に多少の樹脂バリ６が発生しても、接触部１４Ａが樹脂バリ６に触れることなく接点のＯＮ／ＯＦＦ動作が行なわれるため、接点のＯＮ／ＯＦＦタイミングのバラツキが少なく、動作の確実なスイッチを得ることができる。【選択図】  図１
2005026035.tif 000002
【特許請求の範囲】
【請求項１】
内底面または内側面に固定接点が植設された箱形のケースと、このケース内に回転または移動可能に収納された操作体と、この操作体の回転または移動によって接触部が、上記ケース内底面または内側面及び上記固定接点上を弾接摺動する可動接点からなり、上記可動接点の接触部を略円弧状に形成すると共に、上記可動接点が弾接摺動するケース内底面または内側面を、固定接点よりも高い摺動面としたスイッチ。
【請求項２】
ケースの摺動面に代えて、可動接点が弾接摺動するケース内底面または内側面と固定接点端部との間に溝部を形成した請求項１記載のスイッチ。
【発明の詳細な説明】
【０００１】
【発明の属する技術分野】
本発明は、各種電子機器において、記録媒体の有無やメカニズムの動作検出等に用いられるスイッチに関するものである。
【０００２】
【従来の技術】
近年、ビデオやパソコン等の各種電子機器の小型化や高機能化が進むなか、これらのテープやディスク等の記録媒体の有無、或いはツマミや扉等のメカニズムの動作検出等に用いられる検出用のスイッチにおいても、小型薄型で動作の確実なものが求められている。
【０００３】
このような従来のスイッチについて、図５及び６を用いて説明する。
【０００４】
図５は従来のスイッチの断面図であり、同図において、１は絶縁樹脂製で上面開放の箱形のケース、２は導電金属薄板製の固定接点で、複数の固定接点２がケース１の内底面にインサート成形等によって植設固定されると共に、その端子部（図示せず）が各々外方へ延出している。
【０００５】
また、３は絶縁樹脂製の操作体で、端部の支点部３Ａが回転可能に保持されてケース１内に収納されると共に、上端の操作部３Ｂがケース１上面の開口部から上方へ突出している。
【０００６】
さらに、４は中央部が折曲された弾性金属薄板製の可動接点で、やや撓んだ状態でケース１内に収納され、端部の接触部４Ａがケース１の内底面に弾接してスイッチが構成されている。なお、５はケース１内底面の摺動面である。
【０００７】
そして、このように構成されたスイッチは、上下面に複数の配線パターンが形成された配線基板（図示せず）上に載置され、ケース１から延出した固定接点２の端子部が、所定の配線パターンに半田付けされて、機器の電子回路に電気的に接続される。
【０００８】
以上の構成において、テープやディスク等の記録媒体の挿抜、或いはツマミや扉等のメカニズムによって、ケース１上方へ突出した操作部３Ｂが押圧操作されると、操作体３が支点部３Ａを支点として下方向へ回転する。
【０００９】
これによって、可動接点４が操作体３下面に押圧され、図６（ａ）の部分断面図に示すように、ケース１の内底面に弾接した可動接点４端部の接続部４Ａが、図６（ｂ）に示すように、固定接点２の方向へケース１内底面上を弾接摺動する。
【００１０】
そして、操作部３Ｂが所定量押圧されると、接触部４Ａが固定接点２端部に弾接し、図６（ｃ）に示すように、接触部４Ａが固定接点２上を弾接摺動して、可動接点４を介して複数の固定接点２間がＯＮとなる。
【００１１】
また、操作体３への操作力が解除されると、可動接点４の弾性復帰力によって、操作体３が上方向に押圧されて回転すると共に、接触部４Ａも固定接点２からケース１内定面へ弾接摺動して、複数の固定接点２間がＯＦＦとなり、図５の状態に復帰するように構成されている。
【００１２】
なお、固定接点２が植設されたケース１を、成形金型によって絶縁樹脂で成形加工する際、固定接点２上面とケース１内底面は金型の合わせ面となるため、図６に示すように、固定接点２端部上面に樹脂バリ６が発生する場合がある。
【００１３】
このように、固定接点２上面やケース１内底面に樹脂バリ６が発生した場合には、図６（ｂ）に示すように、可動接点４端部の接触部４Ａが樹脂バリ６を乗り越えた後に、固定接点２上面、或いはケース１内底面へ弾接するため、樹脂バリ６の発生していないものに比べ、操作部３Ｂを所定量操作した時に接触部４Ａと固定接点２がＯＮする、或いはＯＦＦするタイミングにズレが生じる。
【００１４】
また、この操作体３を所定量操作してもＯＮしない、或いはＯＦＦしないといった、所謂、接点のＯＮ／ＯＦＦタイミングのズレは、発生した樹脂バリ６の大きさによって、その差の程度にバラツキを生じるものであった。
【００１５】
なお、この出願の発明に関連する先行技術文献情報としては、例えば、特許文献１が知られている。
【００１６】
【特許文献１】
特開２００１−２９７６６０号公報
【００１７】
【発明が解決しようとする課題】
しかしながら、上記従来のスイッチにおいては、上記のように固定接点２上面やケース１内底面に樹脂バリ６が発生した場合、接点のＯＮ／ＯＦＦタイミングにバラツキが生じ、操作体３を所定量操作した際の動作が不安定なものとなり易いという課題があった。
【００１８】
本発明は、このような従来の課題を解決するものであり、接点のＯＮ／ＯＦＦタイミングのバラツキが少なく、確実な動作の可能なスイッチを提供することを目的とする。
【００１９】
【課題を解決するための手段】
上記目的を達成するために本発明は、以下の構成を有するものである。
【００２０】
本発明の請求項１に記載の発明は、可動接点の接触部を略円弧状に形成すると共に、可動接点が弾接摺動するケース内底面または内側面を、固定接点よりも高い摺動面としてスイッチを構成したものであり、固定接点の端部上面に多少の樹脂バリが発生しても、略円弧状の接触部が固定接点とこれよりも高い摺動面を弾接摺動し、接触部が樹脂バリに触れることなく接点のＯＮ／ＯＦＦ動作が行なわれるため、接点のＯＮ／ＯＦＦタイミングのバラツキが少なく、動作の確実なスイッチを得ることができるという作用を有する。
【００２１】
本発明の請求項２に記載の発明は、請求項１に記載の発明において、ケースの摺動面に代えて、可動接点が弾接摺動するケース内底面または内側面と固定接点端部との間に溝部を形成したものであり、樹脂バリはこの溝部底面に発生し、ケース内底面または内側面と固定接点上は滑らかであるため、スイッチの動作をより確実なものとすることができるという作用を有する。
【００２２】
【発明の実施の形態】
以下、本発明の実施の形態について、図１〜図４を用いて説明する。
【００２３】
なお、従来の技術の項で説明した構成と同一構成の部分には同一符号を付して、詳細な説明を簡略化する。
【００２４】
（実施の形態）
図１は本発明の一実施の形態によるスイッチの断面図であり、同図において、１１は絶縁樹脂製で上面開放の箱形のケース、２は導電金属薄板製の固定接点で、複数の固定接点２がケース１１の内底面にインサート成形等によって植設固定されると共に、その端子部（図示せず）が各々外方へ延出している。
【００２５】
また、３は絶縁樹脂製の操作体で、端部の支点部３Ａが回転可能に保持されてケース１１内に収納されると共に、上端の操作部３Ｂがケース１１上面の開口部から上方へ突出している。
【００２６】
さらに、１４は中央部が折曲された弾性金属薄板製の可動接点で、やや撓んだ状態でケース１１内に収納されると共に、可動接点１４端部にはＲ０．５ｍｍ前後の略円弧状の接触部１４Ａが形成されている。
【００２７】
そして、ケース１１内底面には、固定接点２上面よりも０．０５ｍｍ前後高い摺動面１５が形成され、この摺動面１５に略円弧状の接触部１４Ａが弾接して、スイッチが構成されている。
【００２８】
そして、このように構成されたスイッチは、上下面に複数の配線パターンが形成された配線基板（図示せず）上に載置され、ケース１１から延出した固定接点２の端子部が、所定の配線パターンに半田付けされて、機器の電子回路に電気的に接続される。
【００２９】
以上の構成において、テープやディスク等の記録媒体の挿抜、或いはツマミや扉等のメカニズムによって、ケース１１上方へ突出した操作部３Ｂが押圧操作されると、操作体３が支点部３Ａを支点として下方向へ回転する。
【００３０】
これによって、可動接点１４が操作体３下面に押圧され、図２（ａ）の部分断面図に示すように、ケース１１内底面の摺動面１５に弾接した可動接点１４端部の接触部１４Ａが、固定接点２の方向へ摺動面１５上を弾接摺動する。
【００３１】
そして、操作部３Ｂが所定量押圧されると、図２（ｂ）に示すように、接触部１４Ａが固定接点２に弾接するが、この時、ケース１１の成形加工時に金型の合わせ面となる、固定接点２端部上面に樹脂バリ６が発生していたとしても、摺動面１５は固定接点２上面よりも高く形成され、また、可動接点１４の接触部１４Ａは略円弧状に形成されているため、接触部１４Ａは樹脂バリ６に触れることなく固定接点２上面へ弾接する。
【００３２】
また、この後、操作体３の操作に伴って、図２（ｃ）に示すように、接触部１４Ａが固定接点２上を弾接摺動し、可動接点１４を介して複数の固定接点２間がＯＮとなる。
【００３３】
さらに、操作体３への操作力が解除されると、可動接点１４の弾性復帰力によって、操作体３が上方向に押圧されて回転すると共に、接触部１４Ａも固定接点２からケース１１の摺動面１５へ弾接摺動して、複数の固定接点２間がＯＦＦとなり、図１の状態に復帰する。
【００３４】
なお、この時も、可動接点１４の接触部１４Ａは、固定接点２端部上面の樹脂バリ６に触れることなく、摺動面１５へ弾接摺動する。
【００３５】
つまり、操作体３の押圧操作時にも復帰時にも、略円弧状の接触部１４Ａが固定接点２とこれよりも高い摺動面１５上を弾接摺動し、接触部１４Ａが固定接点２端部上面の樹脂バリ６に触れることなく、接点のＯＮ／ＯＦＦ動作を行なうことによって、操作体３を所定量操作してもＯＮしない、或いはＯＦＦしないといった、接点のＯＮ／ＯＦＦタイミングのずれが生じないように構成されている。
【００３６】
このように本実施の形態によれば、固定接点２の端部上面に多少の樹脂バリ６が発生しても、略円弧状の接触部１４Ａが固定接点２とこれよりも高い摺動面１５を弾接摺動し、接触部１４Ａが樹脂バリ６に触れることなく接点のＯＮ／ＯＦＦ動作が行なわれるため、接点のＯＮ／ＯＦＦタイミングのバラツキが少なく、動作の確実なスイッチを得ることができるものである。
【００３７】
なお、摺動面１５の高さは、摺動面１５が固定接点２よりあまり高いと、接触部１４Ａが固定接点２から摺動面１５へ弾接摺動する際に、引掛り感を生じ操作感触が損なわれるため、樹脂バリ６の厚さよりは高く操作感触を損なわない０．０５ｍｍ前後が好ましい。
【００３８】
また、以上の説明では、摺動面１５を固定接点２よりも高くした構成について説明したが、この摺動面１５に代えて、図３の部分断面図に示すように、可動接点１４の接触部１４Ａが弾接摺動するケース１１内底面と固定接点２端部との間に、接触部１４ＡのＲ０．５ｍｍ前後の円弧よりも小さな、幅０．２ｍｍ前後の溝部１６を形成することによって、樹脂バリ６はこの溝部１６底面に発生し、ケース１１内底面と固定接点２上は滑らかとなるため、より動作の確実なスイッチを実現することができる。
【００３９】
さらに、図４の部分断面図に示すように、固定接点２端部がケース１１の摺動面１５内まで伸長した構成としてもよい。
【００４０】
なお、以上の説明では、ケース１１内底面に複数の固定接点２を植設し、操作体３の回転によって可動接点１４を弾接摺動させる構成について説明したが、固定接点２をケース１１の内側面に植設したり、操作体３を回転ではなくケース１１内を上下或いは左右方向へ移動させ、この移動によって接点のＯＮ／ＯＦＦ動作を行なう構成としても、本発明の実施は可能である。
【００４１】
【発明の効果】
以上のように本発明によれば、接点のＯＮ／ＯＦＦタイミングのバラツキが少なく、動作の確実なスイッチを実現することができるという有利な効果が得られる。
【図面の簡単な説明】
【図１】本発明の一実施の形態によるスイッチの断面図
【図２】同部分断面図
【図３】同他の実施の形態による部分断面図
【図４】同部分断面図
【図５】従来のスイッチの断面図
【図６】同部分断面図
【符号の説明】
２  固定接点
３  操作体
３Ａ  支点部
３Ｂ  操作部
６  樹脂バリ
１１  ケース
１４  可動接点
１４Ａ  接触部
１５  摺動面
１６  溝部
【図１】
2005026035.tif 000003
【図２】
2005026035.tif 000004
【図３】
2005026035.tif 000005
【図４】
2005026035.tif 000006
【図５】
2005026035.tif 000007
【図６】
2005026035.tif 000008